(57)【特許請求の範囲】
【請求項１】
上下方向に貫通された複数の開口部を有する第１区画部材を有する第１傘支持部と、  当該第１傘支持部を床面から上方に離間させて支持する支持部と、
前記第１傘支持部に対して着脱可能とされた第２傘支持部と
を備え、
前記第１傘支持部は、
複数の区画杆が交差されることによって前記開口部が形成された前記第１区画部材と、  前記第１区画部材を水平方向から囲む筒状壁と
を備え、
前記第１区画部材は、前記筒状壁の下部に設けられ、
前記第２傘支持部は、高さ寸法が前記筒状壁の高さ寸法よりも小さく設定され、
側面視において前記筒状壁の内部に前記第２傘支持部が収容されている
ことを特徴とする傘立て。
【請求項２】
前記第２傘支持部は、
上下方向に貫通された複数の開口部を有する第２区画部材と、
前記床面から前記第１区画部材までの離間距離よりも短い離間距離で前記第２区画部材の開口部の下方に配置される底板部と
を有することを特徴とする請求項１記載の傘立て。
【請求項３】
前記筒状壁は、下方に向かうに連れて窄まる形状に設定されていることを特徴とする請求項１または２記載の傘立て。
【請求項４】
前記第２傘支持部は、前記第１区画部材に載置されることにより前記第１傘支持部に装着可能とされていることを特徴とする請求項１〜３いずれか一項に記載の傘立て。
【請求項５】
前記支持部は、
上端が前記第１傘支持部に接続されると共に、下端に向かうに連れて平面視で前記第１傘支持部から離間する複数の脚杆と、
複数の前記脚杆の下端に接続されると共に前記第１傘支持部の下方に配置される雫受け皿と
を有することを特徴とする請求項１〜４いずれか一項に記載の傘立て。
【発明の詳細な説明】
【技術分野】
【０００１】
本発明は、傘立てに関するものである。
【背景技術】
【０００２】
オフィスや公共施設等の入口においては、勤務者や来客者等が持参した傘を保管するための傘立てを設置するのが一般的となっている。このような傘立てにより、施設内が傘に付着した雨露で濡れることを防止することができると共に、勤務者や来客者等の手荷物を削減することができる。このような傘立てとしては、例えば特許文献１に示すように、長傘の中央部を支持する枠体を備え、枠体の開口部を挿通された傘を直立状態で側方から支持する構造とされている。
【０００３】
ところが、一般的には、使用される傘は、長傘に限られるものではなく、折畳傘のように長さが短いものも使用されている。このような折畳傘を長傘用に形状設定された傘立てに保管しようとすると、長さ等が足りず、直立状態を維持することができない等の問題が生じる。このような問題を解決するために、特許文献２では、折畳傘等の長さが短い傘を保管するための収容部を長傘用の収容部と別に設けた傘立てが提案されている。
【先行技術文献】
【特許文献】
【０００４】
【特許文献１】特許第２６９３３９５号公報
【特許文献２】特開２０００−１１６４９２号公報
【発明の概要】
【発明が解決しようとする課題】
【０００５】
しかしながら、特許文献２に開示された傘立ては、長傘用の収容部と折畳傘用の収容部とが固定されている。このため、長傘用の収容部と折畳傘の収容部との割合を変更することができず、勤務者や来客者等の傘の使用種類の割合を勘案して柔軟に収容部の割合を変更することができなった。
【０００６】
本発明は、上述する問題点に鑑みてなされたもので、傘立てにおいて、種類の異なる傘を適切に保管することができ、種類の異なる傘に応じて設けられる複数の収容領域の割合を容易に変更可能とすることを目的とする。
【課題を解決するための手段】
【０００７】
本発明は、上記課題を解決するための手段として、以下の構成を採用する。
【０００８】
第１の発明は、上下方向に貫通された複数の開口部を有する第１区画部材を有する第１傘支持部と、当該第１傘支持部を床面から上方に離間させて支持する支持部と、上記第１傘支持部に対して着脱可能とされた第２傘支持部とを備えるという構成を採用する。
【０００９】
本発明においては、第２傘支持部は、第１傘支持部に対して着脱可能とされている。このため、第１傘支持部に第２傘支持部を装着した状態での使用形態や、第１傘支持部から第２傘支持部を脱離させた状態での使用形態で用いることができ、傘立ての設置状況に応じて使用形態を変更することができる。したがって、本発明によれば、傘立てにおいて、種類の異なる傘を適切に保管することができ、種類の異なる傘に応じて設けられる複数の収容領域の割合を容易に変更することができる。
【００１０】
第２の発明は、上記第１の発明において、上記第２傘支持部が、上下方向に貫通された複数の開口部を有する第２区画部材と、上記床面から上記第１区画部材までの離間距離よりも短い離間距離で上記第２区画部材の開口部の下方に配置される底板部とを有するという構成を採用する。
【００１１】
本発明によれば、第２傘支持部が、上下方向に貫通された複数開口部を有する第２区画部材と底板部とを備えている。このため、第２傘支持部の第２区画部材の開口部に傘を挿入して傘の先端を底板部に当接させることにより、第２傘支持部にて傘を保管することができる。さらに、第２傘支持部の第２区画部材の開口部と底板部との離間距離は、床面から第１傘支持部の第１区画部材までの離間距離よりも短い。このため、第２傘支持部は、第１傘支持部で支持する傘よりも短い傘の保管に適する。したがって、本発明においては、例えば第１区画部材で長傘を好適に保管し、第２区画部材で折畳傘を好適に保管することができる。
【００１２】
したがって、折畳傘を保管する必要がある場合には、第１傘支持部に第２傘支持部を装着することにより、折畳傘の保管に適した領域を確保することができる。一方で、折畳傘を保管する必要がない場合には、第１傘支持部に第２傘支持部を装着してない状態とすることにより、折畳傘の保管スペースを削減し、長傘の保管スペースを広く確保することが可能となる。また、複数の第２傘支持部を第１傘支持部に対して装着することにより、折畳傘の保管に適した領域をより広く確保することができる。
【００１３】
第３の発明は、上記第１または第２の発明において、上記第１傘支持部が、複数の区画杆が交差されることによって上記開口部が形成された上記第１区画部材と、上記第１区画部材を水平方向から囲む筒状壁とを備えるという構成を採用する。
【００１４】
本発明によれば、第１区画部材が筒状壁で水平方向から囲まれる。このため、外部の側方から見た傘立ての体裁を向上させることが可能となる。
【００１５】
第４の発明は、上記第３の発明において、上記筒状壁が、下方に向かうに連れて窄まる形状に設定されているという構成を採用する。
【００１６】
本発明によれば、筒状壁が下方に向かうに連れて窄まる形状とされていることから、筒状壁に囲まれた第１区画部材の開口部に傘を指し込んだ場合に、平面視において、傘が先端を傘立ての外側に向けて傾斜することを抑止することができる。このため、平面視において傘の先端を傘立ての中心位置に寄せることが可能となり、傘立ての外側が濡れることを抑止することができる。
【００１７】
第５の発明は、上記第３または第４の発明において、上記第１区画部材が、上記筒状壁の下部に設けられ、上記第２傘支持部が、高さ寸法が上記筒状壁の高さ寸法よりも小さく設定され、側面視において上記筒状壁の内部に上記第２傘支持部が収容されているという構成を採用する。
【００１８】
本発明によれば、第２傘支持部を筒状壁に囲まれた領域に収容することができ、外部から第２傘支持部が視認され難くなり、種類の異なる傘を適切に保管することができながら、傘立ての一体感を向上させることができる。
【００１９】
第６の発明は、上記第５の発明において、上記第２傘支持部が、上記第１区画部材に載置されることにより上記第１傘支持部に装着可能とされているという構成を採用する。
【００２０】
本発明によれば、載置するのみで第２傘支持部が第１傘支持部に装着されるため、第２傘支持部の第１傘支持部への装着及び脱離を容易に行うことができる。
【００２１】
第７の発明は、上記第１〜第６いずれかの発明において、上記支持部が、上端が上記第１傘支持部に接続されると共に、下端に向かうに連れて平面視で上記第１傘支持部から離間する複数の脚杆と、複数の上記脚杆の下端に接続されると共に上記第１傘支持部の下方に配置される雫受け皿とを有するという構成を採用する。
【００２２】
本発明によれば、複数の脚杆が下端に向かうに連れて平面視において第１傘支持部から離間する形状とされ、これらの複数の脚杆の下端に雫受け皿が設置されている。このため、鉛直姿勢とされた脚杆の下端に雫受け皿を設置する場合と比較して、雫受け皿の面積及び容積を広く確保することができる。したがって、本発明によれば、傘立ての外側が濡れることを抑止することができる。
【発明の効果】
【００２３】
本発明によれば、形状の異なる第１傘支持部と第２傘支持部とを備えると共に第２傘支持部が第１傘支持部に対して着脱可能とされているため、種類の異なる傘を適切に保管することができ、種類の異なる傘に応じて設けられる複数の収容領域の割合を容易に変更することができる。
【図面の簡単な説明】
【００２４】
【図１】本発明の一実施形態における傘立ての斜視図である。
【図２】本発明の一実施形態における傘立てが備える折畳傘収容部を含む部分拡大斜視図である。
【図３】本発明の一実施形態における傘立てが備える支持部及び長傘収容部の全体図であり、（ａ）が正面図であり、（ｂ）が平面図であり、（ｃ）が側面図である。
【図４】本発明の一実施形態における傘立てが備える折畳傘収容部の全体図であり、（ａ）が正面図であり、（ｂ）が平面図であり、（ｃ）が側面図である。
【図５】本発明の一実施形態における傘立ての第１変形例を示す斜視図である。
【図６】（ａ）が本発明の一実施形態における傘立ての第２変形例の正面図であり、（ｂ）が本発明の一実施形態における傘立ての第２変形例の側面図である。
【発明を実施するための形態】
【００２５】
以下、図面を参照して、本発明に係る傘立ての一実施形態について説明する。なお、以下の図面において、各部材を認識可能な大きさとするために、各部材の縮尺を適宜変更している。
【００２６】
図１は、本実施形態の傘立て１の斜視図である。また、図２は、本実施形態の傘立て１が備える後述の折畳傘収容部４を含む部分拡大斜視図である。これらの図に示すように、本実施形態の傘立て１は、支持部２と、長傘収容部３（第１傘支持部）と、折畳傘収容部４（第２傘支持部）とを備えている。
【００２７】
図３は、支持部２及び長傘収容部３の全体図であり、（ａ）が正面図であり、（ｂ）が平面図であり、（ｃ）が側面図である。図３に示すように、支持部２は、４本の脚杆２ａと、雫受け皿２ｂと、４つのアジャスタ２ｃと、ラバーマット２ｄとを備えている。
【００２８】
脚杆２ａは、下端２ａ１が雫受け皿２ｂに接続され、上端２ａ２が長傘収容部３に接続された棒状の部材である。各々の脚杆２ａは、図３（ｂ）及び（ｃ）に示すように、下端２ａ１が上端２ａ２よりも長傘収容部３に対して外側に位置するように、鉛直方向に対して傾斜して設置されている。つまり、本実施形態において、各々の脚杆２ａは、下端２ａ１に向かうに連れて平面視で長傘収容部３から離間するように傾斜されている。このような脚杆２ａは、下端２ａ１が雫受け皿２ｂの後述する枠体部２ｂ２の上面に接続されている。また、上端２ａ２が長傘収容部３の上縁（後述部する筒状壁３ａの上端側の縁）に接続されている。また、４つの脚杆２ａは、同一の長さに設定されており、鉛直方向に対する傾斜角度の絶対値が全て統一（例えば５°）に設定されている。
【００２９】
雫受け皿２ｂは、脚杆２ａの下端２ａ１に接続された皿状の部位であり、矩形状の底板２ｂ１と、底板２ｂ１の縁部に沿って配置される枠体部２ｂ２とを備えている。枠体部２ｂ２は、角部の各々が脚杆２ａの下端２ａ１に応じた位置に配置される矩形状とされている。底板２ｂ１は、枠体部２ｂ２の下端に接続されており、枠体部２ｂ２で囲われた領域を下方から塞ぐように配置されている。このような雫受け皿２ｂは、底板２ｂ１の上面と枠体部２ｂ２の内壁面とに囲われた領域が雨水を溜める領域とされており、長傘収容部３に保持された長傘Ｘ１（図１参照）から滴り落ちる雨水を受け止める。このような雫受け皿２ｂは、図３（ｂ）及び（ｃ）に示すように、奥行方向（図３（ｂ）の上下方向）の寸法が、長傘収容部３よりも広く設定されている。なお、雫受け皿２ｂは、溜った雨水を捨てる作業を容易とするために、脚杆２ａの下端２ａ１に着脱自在に取り付けられていることが望ましい。
【００３０】
アジャスタ２ｃは、雫受け皿２ｂの枠体部２ｂ２に対して固定されている。アジャスタ２ｃは、枠体部２ｂ２の角部の近傍の下側に対して各々設置されており、床面に対して直接当接される。これらのアジャスタ２ｃは、各々が高さ調整可能とされており、傘立て１の姿勢を調節可能としている。ラバーマット２ｄは、雫受け皿２ｂの底板２ｂ１の上面に載置されている。このラバーマット２ｄは、底板２ｂ１よりも摩擦係数が高く、長傘収容部３に支持された長傘Ｘ１の先端部が当接される。
【００３１】
このような支持部２は、図１及び図３に示すように、長傘収容部３を床面Ｓから一定の高さ離間させた状態で支持する。なお、支持部２は、先端をラバーマット２ｄに当接させた一般的な長さの長傘Ｘ１の持ち手が長傘収容部３の上方に突出する高さとなるように、長傘収容部３を支持している。
【００３２】
長傘収容部３は、第１区画部材３ａと、筒状壁３ｂとを有している。第１区画部材３ａは、幅方向（図３（ａ）及び（ｂ）における左右方向）に延設される複数の横区画杆３ａ１と、奥行方向に延設される複数の縦区画杆３ａ２とを備えている。本実施形態においては、横区画杆３ａ１は、一定の間隔かつ同一高さで奥行方向に４本配列されている。また、縦区画杆３ａ２は、一定の間隔かつ同一高さで幅方向に９本配列されている。このように第１区画部材３ａは、複数の区画杆（横区画杆３ａ１及び縦区画杆３ａ２）が格子状に交差された形状を有している。また、横区画杆３ａ１と縦区画杆３ａ２とが交差されることによって形成される開口部３ａ３が長傘Ｘ１の差し込まれる領域とされている。つまり、長傘収容部３は、上下方向に貫通された複数の開口部３ａ３を有しており、開口部３ａ３に差し込まれた長傘Ｘ１を水平方向から支持する。
【００３３】
筒状壁３ｂは、上下端が開放端とされた筒状の壁部であり、第１区画部材３ａを囲うように配置されている。この筒状壁３ｂは、図３（ｂ）に示すように平面視において矩形状とされており、図３（ａ）及び（ｃ）に示すように下方に向かうに連れて窄まる形状とされている。つまり、筒状壁３ｂは、上下の開口端のうち、上側の開口端が下側の開口端よりも広い形状とされている。なお、第１区画部材３ａは、このような筒状壁３ｂの下側の開口端に嵌合されている。
【００３４】
図４は、折畳傘収容部４の全体図であり、（ａ）が正面図であり、（ｂ）が平面図であり、（ｃ）が側面図である。図３に示すように、折畳傘収容部４は、第２区画部材４ａと、底板部４ｂと、ラバーマット４ｃとを備えている。
【００３５】
第２区画部材４ａは、門型フレーム４ａ１と、矩形フレーム４ａ２と、水平杆４ａ３とを有している。門型フレーム４ａ１は、図４（ｃ）に示すように、先端が下方に向けられた２つの鉛直部４ａ１１と、２つの鉛直部４ａ１１の上端同士を接続する水平部４ａ１２とを有する略Ｕの字形状とされている。このような門型フレーム４ａ１は、図４（ｂ）に示すように、離間して２本設置されている。矩形フレーム４ａ２は、平面視において略矩形状とされており、各々の門型フレーム４ａ１の上端部に固定されている。水平杆４ａ３は、門型フレーム４ａ１の水平部４ａ１２と直交するように配置される直線状の部位であり、中央部が門型フレーム４ａ１の水平部４ａ１２に固定され、両端部が矩形フレーム４ａ２に固定されている。
【００３６】
このような第２区画部材４ａでは、門型フレーム４ａ１と、矩形フレーム４ａ２と、水平杆４ａ３とが交差されることによって形成される開口部４ａ４が折畳傘Ｘ２（図２参照）の差し込まれる領域とされている。つまり、折畳傘収容部４は、上下方向に貫通された複数の開口部４ａ４を有しており、開口部４ａ４に差し込まれた折畳傘Ｘ２を水平方向から支持する。
【００３７】
底板部４ｂは、第２区画部材４ａの門型フレーム４ａ１の端部に接続された板状の部位である。この底板部４ｂは、平面視において矩形状とされており、４辺のうち対向する２辺に相当する縁が上方に折り曲げられることにより形成された屈曲縁４ｂ１を有している。この屈曲縁４ｂ１に対して門型フレーム４ａ１の下端が固定されている。ラバーマット４ｃは、底板部４ｂ上に載置されている。このラバーマット４ｃは、底板部４ｂよりも摩擦係数が高く、折畳傘収容部４に収容された折畳傘Ｘ２の先端部が当接される。
【００３８】
このような折畳傘収容部４は、開口部４ａ４から底板部４ｂまでの離間距離が、長傘収容部３の筒状壁３ｂの高さ寸法よりも短く、床面Ｓから長傘収容部３の第１区画部材３ａまでの離間距離よりも短く設定されている。また、底板部４ｂの屈曲縁４ｂ１が形成されていない対向辺同士の離間距離（図４（ａ）の左右方向の大きさ）は、長傘収容部３の筒状壁３ｂの下側の開口端位置における奥行方向（図３（ｂ）における上下方向）の寸法より僅かに小さく設定されている。
【００３９】
上述の折畳傘収容部４は、図２に示すように、長傘収容部３の第１区画部材３ａ上に載置することによって、長傘収容部３に対して装着される。このとき、折畳傘収容部４は、底板部４ｂの屈曲縁４ｂ１が形成されていない辺が長傘収容部３の奥行方向に配置されるように、第１区画部材３ａ上に載置される。これによって、底板部４ｂの上面が屈曲縁４ｂ１及び筒状壁３ｂによって囲まれるため、折畳傘Ｘ２が脱落することを防止することができる。また、折畳傘収容部４を長傘収容部３から脱離する場合には、折畳傘収容部４を持ち上げて筒状壁３ｂの内側から上方に取り出す。これによって、折畳傘収容部４を容易に長傘収容部３から脱離することができる。
【００４０】
以上のような本実施形態の傘立て１によれば、上下方向に貫通された複数の開口部３ａ３を有する第１区画部材３ａを有する長傘収容部３と、長傘収容部３を床面Ｓから上方に離間させて支持する支持部２と、長傘収容部３に対して着脱可能とされた折畳傘収容部４とを備えている。このため、傘立て１を長傘収容部３に折畳傘収容部４を装着した状態での使用形態や、長傘収容部３から折畳傘収容部４を脱離させた状態での使用形態で用いることができ、傘立て１の設置状況に応じて使用形態を変更することができる。したがって、本実施形態の傘立て１によれば、種類の異なる傘を適切に保管することができ、種類の異なる傘に応じて設けられる複数の収容領域の割合を容易に変更することができる。
【００４１】
また、本実施形態の傘立て１においては、折畳傘収容部４が、上下方向に貫通された複数の開口部４ａ４を有する第２区画部材４ａと、床面Ｓから第１区画部材３ａまでの離間距離よりも短い離間距離で第２区画部材４ａの開口部４ａ４の下方に配置される底板部４ｂとを有する。このため、折畳傘収容部４の第２区画部材４ａの開口部４ａ４に折畳傘Ｘ２を挿入して折畳傘Ｘ２の先端を底板部４ｂに当接させることにより、折畳傘収容部４にて折畳傘Ｘ２を保管することができる。さらに、折畳傘収容部４の第２区画部材４ａの開口部４ａ４と底板部４ｂとの離間距離は、床面Ｓから長傘収容部３の第１区画部材３ａまでの離間距離よりも短い。このため、折畳傘収容部４は、長傘収容部３で支持する傘よりも短い傘の保管に適する。したがって、本実施形態の傘立て１においては、例えば第１区画部材３ａで長傘Ｘ１を好適に保管し、第２区画部材４ａで折畳傘Ｘ２を好適に保管することができる。
【００４２】
したがって、折畳傘Ｘ２を保管する必要がある場合には、長傘収容部３に折畳傘収容部４を装着することにより、折畳傘の保管に適した領域を確保することができる。一方で、折畳傘Ｘ２を保管する必要がない場合には、長傘収容部３に折畳傘収容部４を装着してない状態とすることにより、折畳傘Ｘ２の保管スペースを削減し、長傘Ｘ１の保管スペースを広く確保することが可能となる。また、複数の折畳傘収容部４を長傘収容部３に対して装着することにより、折畳傘Ｘ２の保管に適した領域をより広く確保することもできる。
【００４３】
また、本実施形態の傘立て１においては、長傘収容部３が、複数の区画杆（横区画杆３ａ及び縦区画杆３ａ２）が交差されることによって開口部３ａ３が形成された第１区画部材３ａと、第１区画部材３ａを水平方向から囲む筒状壁３ｂとを備えている。このため、外部の側方から見た傘立て１の体裁を向上させることが可能となる。
【００４４】
また、本実施形態の傘立て１においては、筒状壁３ｂが、下方に向かうに連れて窄まる形状に設定されている。このため、筒状壁３ｂに囲まれた第１区画部材３ａの開口部３ａ３に長傘Ｘ１を指し込んだ場合に、平面視において、長傘Ｘ１が先端を傘立て１の外側に向けて傾斜することを抑止することができる。このため、平面視において長傘Ｘ１の先端を傘立ての中心位置に寄せることが可能となり、傘立て１の外側が濡れることを抑止することができる。
【００４５】
また、本実施形態の傘立て１においては、折畳傘収容部４が、第１区画部材３ａに載置されることにより長傘収容部３に装着可能とされ、第２区画部材４ａから底板部４ｂまでの離間距離が筒状壁３ｂの高さ寸法よりも小さく設定されている。このため、本実施形態の傘立て１によれば、折畳傘収容部４を筒状壁３ｂに囲まれた領域に収容することができ、外部から折畳傘収容部４が視認され難くなり、種類の異なる傘を適切に保管することができながら、傘立て１の一体感を向上させることができる。
【００４６】
また、本実施形態の傘立て１においては、支持部２が、上端が長傘収容部３に接続されると共に、下端に向かうに連れて平面視で長傘収容部３から離間する複数の脚杆２ａと、複数の脚杆２ａの下端に接続されると共に長傘収容部３の下方に配置される雫受け皿２ｂとを有する。このため、鉛直姿勢とされた脚杆の下端に雫受け皿２ｂを設置する場合と比較して、雫受け皿２ｂの面積及び容積を広く確保することができる。したがって、本実施形態の傘立て１によれば、傘立て１の外側が濡れることを抑止することができる。
【００４７】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４８】
例えば、上記実施形態においては、長傘収容部３が筒状壁３ｂを備え、長傘収容部３の第１区画部材３ａ上に折畳傘収容部４を載置することにより、折畳傘収容部４を長傘収容部３に装着する構成を採用した。しかしながら、本発明はこれに限定されるものではなく、例えば図５に示すように、長傘収容部３に対して筒状壁３ｂを設けない構成を採用することも可能である。また、長傘収容部３の第１区画部材３ａに対して、第２区画部材４ａを有していない底板部４ｂのみからなる折畳傘収容部５を吊り下げ装着する構成を採用することも可能である。
【００４９】
また、上記実施形態においては、脚杆２ａが鉛直方向に対して傾斜し、筒状壁３ｂが下方に向かうに連れて窄まる形状とされた構成について説明した。しかしながら、本発明はこれに限定されるものではなく、鉛直方向に沿って真っ直ぐに立設する脚杆を用いたり、上下方向の開口面積が一定の筒状壁を用いたりする構成を採用することも可能である。
【００５０】
また、上記実施形態においては、折畳傘収容部４を筒状壁３ｂの内部に収容する構成について説明した。しかしながら、本発明はこれに限定されるものではない。例えば、図６（ａ）の正面図と、図６（ｂ）の側面図に示すように、筒状壁３ｂの外部に配置される折畳傘収容部６を備える構成を採用することも可能である。例えば、図６に示す折畳傘収容部６は、長傘収容部３の第１区画部材３ａに対して着脱自在となるように、不図示の締結部材により第１区画部材３ａに着脱可能とされた底板部６ａを備えている。また、底板部６ａに支持され、複数の折畳傘Ｘ２を収容可能とする区画部材６ｂとを備えている。なお、図６に示すように、折畳傘収容部６は、可能な限り、筒状壁３ｂの下側であって筒状壁３ｂに近い位置に配置することが望ましい。上記実施形態においては、脚杆２ａが鉛直方向に対して傾斜し、筒状壁３ｂが下方に向かうに連れて窄まる形状とされているため、上述のように折畳傘収容部６を配置することによって、折畳傘収容部６の底板部６ａから垂れた水滴を雫受け皿２ｂで受けることが可能となる。
【符号の説明】
【００５１】
１……傘立て、２……支持部、２ａ……脚杆、２ｂ……雫受け皿、３……長傘収容部（第１傘支持部）、３ａ……第１区画部材、３ａ１……横区画杆、３ａ２……縦区画杆、３ａ３……開口部、３ｂ……筒状壁、４……折畳傘収容部（第２傘支持部）、４ａ……第２区画部材、４ａ４……開口部、４ｂ……底板部、５……折畳傘収容部、６……折畳傘収容部、Ｘ１……長傘、Ｘ２……折畳傘
【図１】
0006655357.tif 000002
【図２】
0006655357.tif 000003
【図３】
0006655357.tif 000004
【図４】
0006655357.tif 000005
【図５】
0006655357.tif 000006
【図６】
0006655357.tif 000007